(57)【要約】【課題】  浴槽等から大量の排水を流し込む際の不快音の発生を防止することのできる排水トラップを提供する。【解決手段】  洗い場の床下に設置された椀型のトラップ本体１と、洗い場からの排水をトラップ本体１内に流し込む為にトラップ本体１内に上方から挿入された封止筒２と、浴槽等からの排水をトラップ本体１内に流し込む為の排水流入部３と、封止筒２及び排水流入部３からトラップ本体１内に流し込まれた排水を合流排水させる為の排水流出部４とを具備し、トラップ本体１内にて封止筒２の下端開口位置Ａより上方の位置にまで封水が形成される排水トラップにおいて、トラップ本体１内に位置する封止筒２の側壁部２ｃであってトラップ本体１内に貯留される排水の水面よりも上方の個所に空気穴５を穿設し、該空気穴５に、封止筒２の内部から外部への流れのみを許容する逆止弁６を取付ける。【選択図】        図１
2006090094.tif 000002
【特許請求の範囲】
【請求項１】
洗い場の床下に設置された椀型のトラップ本体と、洗い場からの排水をトラップ本体内に流し込む為にトラップ本体内に上方から挿入された上下に貫通する筒状の封止筒と、洗い場以外の他の排水箇所からの排水をトラップ本体内に流し込む為にトラップ本体下部に設けられた排水流入部と、封止筒及び排水流入部からトラップ本体内に流し込まれた排水を合流排水させる為にトラップ本体上部に設けられた排水流出部とを具備し、トラップ本体内にて封止筒の下端開口位置より上方の位置にまで排水が貯留されることで封止筒内の封水が形成される排水トラップにおいて、トラップ本体内に位置する封止筒の側壁部であってトラップ本体内に貯留される排水の水面よりも上方の個所に空気穴を穿設するとともに、該空気穴に、封止筒の内部から外部への流れのみを許容する逆止弁を取付けたことを特徴とする排水トラップ。
【発明の詳細な説明】
【技術分野】
【０００１】
本発明は、浴室の床下に設置される排水トラップに関するものである。
【背景技術】
【０００２】
従来から、洗い場の床下に設置されたトラップ本体に、洗い場からの排水と洗い場以外の他の排水箇所（浴槽等）からの排水とを別々に流し込み、トラップ本体内でこれら排水を合流させたうえで排水させる構造の排水トラップが知られている（例えば特許文献１参照）。
【０００３】
上記排水トラップは、洗い場の床下に設置された椀型のトラップ本体と、洗い場からの排水をトラップ本体内に流し込む為にトラップ本体内に上方から挿入された上下に貫通する筒状の封止筒と、浴槽等の他の排水個所からの排水をトラップ本体内に流し込む為にトラップ本体下部に設けた排水流入部と、封止筒及び排水流入部を通して流し込まれた排水をトラップ本体内から合流排水させる為にトラップ本体上部に設けた排水流出部とで主体を成すものであり、トラップ本体内にて封止筒の下端開口位置より上方の位置にまで排水が貯留されるように設けることで、排水管側と浴室側とを上記封止筒内の貯留水（以下、これを封水という）により遮断して、排水管側の臭気や害虫等が浴室内にまで侵入することを防止する構造になっている。
【０００４】
しかしながら、上記従来の排水トラップにおいては、例えば浴槽内の貯水を一気に排水しようとするような場合に以下の問題が生じていた。即ち、浴槽側から大量の排水が流入してきた場合には該排水に巻き込まれることで排水管内の空気圧が低下し、この低下した空気圧が、封止筒内の封水の水位を低下させて封止筒内の空気を排水管側に引き込もうとする負圧として作用するという、いわゆる誘導サイホン現象が生じるものであり、上記誘導サイホン現象により、封止筒内の封水の水位が該封止筒の下端開口位置よりも低下してしまうと、封水が破られることで封止筒内の空気がトラップ本体内の排水中に溢れ出し、排水中の不快な音鳴りを生じるという問題があった。
【０００５】
これに対して、上記の音鳴りを防止する為には、浴槽側からの排水の勢いを抑えて負圧の発生を抑制すればよいのだが、この場合には浴槽内の水を短時間で排水することができないという問題生じる。
【特許文献１】特願平１１−３６５５６８号公報
【発明の開示】
【発明が解決しようとする課題】
【０００６】
本発明は上記問題点に鑑みて発明したものであって、浴槽等から大量の排水を一気に流し込む場合であっても不快な音鳴りを生じることがなく、不快音の発生防止と排水時間の短縮とを共に達成することのできる排水トラップを提供することを課題とするものである。
【課題を解決するための手段】
【０００７】
上記課題を解決するために本発明を、洗い場の床下に設置された椀型のトラップ本体１と、洗い場からの排水をトラップ本体１内に流し込む為にトラップ本体１内に上方から挿入された上下に貫通する筒状の封止筒２と、洗い場以外の他の排水箇所からの排水をトラップ本体１内に流し込む為にトラップ本体１下部に設けられた排水流入部３と、封止筒２及び排水流入部３からトラップ本体１内に流し込まれた排水を合流排水させる為にトラップ本体１上部に設けられた排水流出部４とを具備し、トラップ本体１内にて封止筒２の下端開口位置Ａより上方の位置にまで排水が貯留されることで封止筒２内の封水が形成される排水トラップにおいて、トラップ本体１内に位置する封止筒２の側壁部２ｃであってトラップ本体１内に貯留される排水の水面よりも上方の個所に空気穴５を穿設するとともに、該空気穴５に、封止筒２の内部から外部への流れのみを許容する逆止弁６を取付けたことを特徴としたものとする。
【０００８】
上記構成の排水トラップとすることで、洗い場以外の他の排水個所として例えば浴槽を備えて該浴槽から大量の排水を流し込んだ場合には、排水管側の大きく低下した気圧が負圧となって逆止弁６を開弁させるように作用し、封止筒２内の空気を排水管側に自動的に供給させる。つまり、排水管側の空気圧の低下により封止筒２内の水位を低下させる誘導サイホン現象の発生が防止されることとなり、上記誘導サイホン現象により封止筒２内の封水が破られて不快な音鳴りを生じることが防止される。そして、上記のように浴槽等から勢い良く排水を行った場合にも不快な音鳴りを生じることがないので、浴槽等の貯水を短時間で排水することが可能となる。しかも、上記効果を得る為に封止筒２に空気穴５を空けて逆止弁６を取付けるだけで済むので、低コストで提供可能なものである。
【発明の効果】
【０００９】
本発明は、浴槽等から大量の排水を一気に流し込む場合であっても不快な音鳴りを生じることがなく、したがって不快音の発生防止と排水時間の短縮とを共に達成することができるという効果を奏する。
【発明を実施するための最良の形態】
【００１０】
以下、本発明を添付図面に示す実施形態に基いて説明する。図１〜図３には、本発明の実施の形態における一例の排水トラップを示している。本例の排水トラップは、浴室の洗い場を形成する床パン５０に開口させてある排水口５１の下方に設置されるものであり、図中に白抜き矢印で示すように、上記洗い場側の排水口５１を通して流れ落ちる排水と、洗い場に隣接して設置してある浴槽側の排水口（図示せず）から流れ込む排水と、浴室出入用のドア下に形成してある排水口（図示せず）から流れ込む排水とを、排水トラップの後述のトラップ本体１内で一旦合流させたうえで、トラップ本体１内からこの合流排水を排水主流管２１に流し出す構造になっている。
【００１１】
上記トラップ本体１は、上方に開口した有底筒状の椀型部材であり、その下側半部の左右両側には排水流入部３を一つずつ形成するとともに、その上側半部には一対の排水流入部３から略等間隔を隔てた箇所に排水流出部４を形成している。上記一対の排水流入部３のうち一方は、一端を浴槽側の排水口と連通接続させてある排水枝流管２０（図示例では２０ａ）の他端を連通接続させる為のものであり、排水流入部３の他方は、一端をドア下側の排水口と連通接続させてある排水枝流管２０（図示例では２０ｂ）の他端を連通接続させる為のものである。また、排水流出部４は、合流排水用の排水主流管２１の一端を連通接続させる為のものである。
【００１２】
図中の符号７は、床パン５０の排水口５１に上方から嵌め込んでトラップ本体１や後述の封止筒２を取付ける為の取付部材である。上記取付部材７は、上下に貫通した筒部８の上端縁から水平方向且つ外方に向けて上フランジ部９を延設し、筒部８の下端縁から水平方向且つ内方に向けて下フランジ部１０を延設して形成されている。また、図中の符号２は、洗い場からの排水をトラップ本体１内に流し込む為にトラップ本体１内に上方から挿入される封止筒である。上記封止筒２は、上下に貫通する筒状部材であり、その上端縁から水平方向且つ外方に向けてフランジ部１１を延設させている。
【００１３】
上記取付部材７を排水口５１に上方から挿入すると、取付部材７の上フランジ部９が床パン５０上面の排水口５１周縁部分に載置されることで、筒部８が排水口５１と嵌合した状態で床パン５０に取付けられる。そして、上記嵌合状態にある筒部８の外周面であって床パン５０より下方に突出する部分に、トラップ本体１の上部開口縁から下方に延設してある垂下片１２の内周面側を螺合させることで、トラップ本体１が取付部材７を介して床パン５０の下方に取付けられるようになっている。また、取付部材７の筒部８内に上方から封止筒２を挿入すると、取付部材７の下フランジ部１０上面に封止筒２のフランジ部１１下面が載置され、これにより取付部材７に封止筒２が吊下支持される。上記のように取付部材７にトラップ本体１と封止筒２とを取付けた状態で、封止筒２はその上端開口２ａを排水口５１と連結させた状態でトラップ本体１内に保持されるものであり、封止筒２の下端開口２ｂはトラップ本体１の内底面と所定の距離を隔てて位置するものである。
【００１４】
トラップ本体１内の封止筒２を囲む部分には、トラップ本体１内の封水高さを確保する為の仕切り片１３を内底面側から上方に突設してあり、トラップ本体１の内底面や仕切り片１３により封止筒１２の周囲に水溜め部１７を形成して該仕切り片１３の上端までの高さの空間（図中の斜線部分）に排水が常時貯留される構造になっている。取付状態にある封止筒２の下端開口２ｂの位置Ａは、トラップ本体１内底面の位置Ｂよりも上方であり且つ仕切り片１３上端の位置Ｃよりも下方である適当な位置に設定しているので、封止筒２内において下端開口２ｂの位置Ａより上方の位置にまで封水が常時形成され、この封水によって排水主流管２１内等からの臭気や害虫が浴室内にまで侵入することが防止されるものである。また、排水流入部３の流入口上端の位置Ｄも、仕切り片１３上端の位置Ｃより下方に設定されており、したがって浴槽やドア下の排水口から浴室内に臭気等が侵入することも防止されている。
【００１５】
なお、図中の符号１４はヘアーキャッチャーであり、排水口５１に蓋をするように取付部材７に上方から着脱自在に取付けることで、排水口５１に流れ込む洗い場の排水中に含まれる毛髪等のごみを捕獲して該ごみが封止筒２やトラップ本体１内にまで侵入することを防止するものである。図中の符号１５は防水パッキンであり、この防水パッキン１５を介して、床パン５０の排水口５１の周縁部を取付部材７の上フランジ部９とトラップ本体１の上端部との間で挟持させることで、トラップ本体１が床パン５０に確実に固定されるとともに水漏れも確実に防止されるものである。
【００１６】
加えて、本例の排水トラップにおいてはその特徴的構成として、封止筒２の側壁部２ｃであってトラップ本体１内に位置し且つトラップ本体１内に貯留される排水の水面よりも上方となる個所に、封止筒２の内部と外部とを連通させる空気穴５を穿設している。この空気穴５には、封止筒２の内部から外部への方向（図中の矢印方向）の流れのみを許容する逆止弁６を着脱自在に取付けている。逆止弁６は屈曲自在な弾性体から成り、その外周部分には、空気穴５の周縁部に嵌まって逆止弁６全体を空気穴５に固定する嵌合溝１６を全周に亘って凹設している。
【００１７】
しかして、上記構成を具備する本例の排水トラップにおいては、洗い場からの排水が排水口５１中のヘアーキャッチャー１４や封止筒２を通ってトラップ本体１内に直接流れ落ち、また浴槽からの排水及びドア下からの排水が各々の連結される排水枝流管２０ａ，２０ｂを通って排水流入部３からトラップ本体１内に流れ込み、上記各排水が椀状を成すトラップ本体１内にて一旦合流したうえで、仕切り片１３を乗り越えて排水流出部４から排水主流管２１へと合流排水されるものである。
【００１８】
ここで、例えば浴槽内の貯水を一気に抜いて大量の排水を行うような場合には、特に排水主流管２１内の空気が大量の排水に巻き込まれて気圧を大きく低下させることとなる。従来の排水トラップにおいては、封止筒２内の水面上の空気圧が大気圧に保持されるのに対して排水管側（排水主流管２１や、トラップ本体１の封止筒２内を除く部分）の水面上の気圧が低下することで、封止筒２内の空気を引き込むように封水の水位を低下させて、結果として封水切れによる不快な音鳴りを生じるという問題があったことは既述の通りであるが、本例の排水トラップにおいては空気穴５及び逆止弁６を備えることで上記問題は解決されている。即ち、封止筒２内の水面上の空間と排水管側の水面上の空間とを区切る形で封止筒２の側壁部２ｃに設置される逆止弁６は、排水管側の低下した気圧が負圧として作用することで開弁を生じ、封止筒２側から排水管側へと空気が供給されるので、封止筒２内の水位低下の原因となる排水管側の気圧の低下を防止して、結果として封止筒２内の封水切れによる不快な音鳴りを防止するものである。なお、逆止弁６は排水管側から封止筒２内への空気の流れを許容しないので排水管側の悪臭等が浴室内に侵入することは確実に防止されている。
【００１９】
そして、上記のように排水中の不快な音鳴りが防止がされることから、浴槽側からの排水の勢いを抑える必要がなくなり、浴槽内の水を短時間で排水することが可能となる。しかも、上記効果を得る為に従来の排水トラップに空気穴５を空けて逆止弁６を後付けするだけで済むので、低コスト且つコンパクトな商品として提供可能なものである。
【００２０】
なお、本例においては排水流入部３を一対備えて浴槽側とドア下側の両方からの排水を洗い場からの排水と合流排水させる構造としたが、これに限定されず、浴槽側からの排水のみを洗い場からの排水と合流排水させる構造や、ドア下側からの排水のみを洗い場からの排水と合流排水させる構造であってもよく、いずれの構造であっても音鳴り防止等の効果は同様に得られるものである。
【図面の簡単な説明】
【００２１】
【図１】本発明の実施の形態における一例の排水トラップの側断面図である。
【図２】同上の排水トラップの平面図である。
【図３】同上の排水トラップの一部を断面とした正面図である。
【符号の説明】
【００２２】
１  トラップ本体
２  封止筒
２ｂ  下端開口
３  排水流入部
４  排水流出部
５  空気穴
６  逆止弁
Ａ  トラップ本体の下端開口位置
【図１】
2006090094.tif 000003
【図２】
2006090094.tif 000004
【図３】
2006090094.tif 000005